(57)【特許請求の範囲】
【請求項１】
複数の椅子（２１）と、
それらの椅子を相互に連結する連結材（２２）と、
その連結材（２２）を支持する脚部材（２５）と、
を具える連結椅子（３）において、
前記脚部材（２５）の先端部に一端部を抜け止め状態で掛止されるとともに他端部を前記脚部材（２５）の先端部にボルト（２８）で締着されて、前記脚部材（２５）の前記先端部との間に前記連結材（２２）を挟持固定するブラケット（２６）を具えることを特徴とする、連結椅子。
【請求項２】
前記脚部材（２５）は、樋状の部材からなるとともに前記樋状における底部が低い方の段側になるように先端部を階段状に形成されており、
前記脚部材（２５）の階段状の先端部の低い方の段の角部には、前記ブラケット（２６）の前記一端部を抜け止め状態で掛止する掛止部が形成され、
前記脚部材（２５）の階段状の先端部の高い方の段には、前記ブラケット（２６）の前記他端部を締着するためのボルト孔またはボルトが設けられていることを特徴とする、請求項１記載の連結椅子。
【請求項３】
前記脚部材（２５）は、樋状の部材からなるとともに前記樋状における底部が低い方の段側になるように先端部を階段状に形成されており、
前記脚部材（２５）の階段状の先端部の低い方の段の角部には、前記ブラケット（２６）の前記他端部を締着するためのボルト孔またはボルトが設けられ、
前記脚部材（２５）の階段状の先端部の高い方の段には、前記ブラケット（２６）の前記一端部を抜け止め状態で掛止する掛止部材が装着されていることを特徴とする、請求項１記載の連結椅子。
【請求項４】
前記脚部材（２５）は、一枚の板材が折曲されて形成されたものであることを特徴とする、請求項１から３までの何れか１項記載の連結椅子。
【発明の詳細な説明】
【技術分野】
【０００１】
この発明は、脚部材によって支持された連結材で相互に連結された複数の椅子を有する連結椅子に関し、特には、その連結椅子の脚部材への連結材の固定構造に関するものである。
【背景技術】
【０００２】
脚部材によって支持された連結材で相互に連結された複数の椅子を有する連結椅子としては従来、例えば本願出願人が先に特許文献１にて開示した移動観覧席に用いられているものが知られ、この移動観覧席は、図１２にその中間の二段について示すように、複数段の床台１と、各床台１を水平状態で移動可能に支持する脚部２と、連結材で相互に連結された複数の座起立型椅子を有して各床台１上に起倒可能に装着された連結椅子３とを具えており、各床台１は、連結椅子３の左右方向に水平に延在する貫材４と、その貫材４の長手方向に間隔が空いた複数の部位に後端部をそれぞれ結合されてその貫材４から連結椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に延在する複数本の脚材８と、それらの脚材８の前端部および後端部にそれぞれ設けられた複数個の移動用ローラー９とを有するとともに、高い方の段では支柱７の後面側にその支柱７の補強のための傾斜ブレース１０を有している。
【０００３】
そしてこの移動観覧席においては、上記複数本の支柱７の長さが床台１毎に床台１間の段差分ずつ異なるとともに、複数本の支柱７の上端部が結合される貫材４の部位の間隔が床台１毎に少しずつ異なることで、複数段の床台１が、互いに階段状にずれる進出位置と、互いに上下方向に整列する後退位置との間で水平状態のまま移動することができ、その後退位置に移動させる際は、連結椅子３を前方に倒して床材６間に収納する。
【０００４】
このような移動観覧席において、連結椅子３を起倒可能に床台１上に装着する際には、従来は例えば特許文献２にて開示されているように、床台１上にブラケットで支持されて床台１の左右方向へ延在する支持軸を断面コ字状すなわち樋状の脚部材の基部に貫通させて、その支持軸で脚部材を床台１の前後方向へ揺動可能に支持し、その脚部材の先端に固着された断面略Ｌ字状の受けブラケット上に、連結椅子３の複数の座起立型椅子を相互に連結する角パイプ状の連結材を配置し、その連結材の上に断面略逆Ｌ字状の挟みブラケットを被せて、それら受けブラケットと挟みブラケットとの間に連結椅子３の連結材を配置し、それらのブラケットの両端部同士をそれぞれ、脚部材の両側に２本ずつ位置する合計４本のボルトで締め付けることで、それら受けブラケットと挟みブラケットとの間に連結椅子３の連結材を挟持固定している。
【先行技術文献】
【特許文献】
【０００５】
【特許文献１】特許第３９０３３５４号
【特許文献２】特開２０００−２０４７７７号公報
【発明の概要】
【発明が解決しようとする課題】
【０００６】
ところで、本願発明者は上記従来の連結椅子についてさらに研究を進めたところ、以下の如き改良の余地を見出した。すなわち、上記従来の連結椅子３の、連結材を脚部材に固定する固定構造は、２つのブラケットを脚部材の両側に位置する４本のボルトで締め付ける必要があるため、部品点数が多くなるとともに作業工数が嵩むという不都合があった。
【課題を解決するための手段】
【０００７】
この発明は、上記従来の連結椅子の課題を有利に解決するものであり、この発明の連結椅子は、複数の椅子と、それらの椅子を相互に連結する連結材と、その連結材を支持する脚部材と、を具える連結椅子において、前記脚部材の先端部に一端部を抜け止め状態で掛止されるとともに他端部を前記脚部材の先端部にボルトで締着されて、前記脚部材の前記先端部との間に前記連結材を挟持固定するブラケットを具えることを特徴とするものである。
【発明の効果】
【０００８】
この発明の連結椅子にあっては、複数の椅子を相互に連結する連結材が、脚部材の先端部にブラケットの一端部を抜け止め状態で掛止するとともにその脚部材の先端部にブラケットの他端部をボルトで締着することで、その脚部材の先端部とブラケットとの間に挟持固定され、これによって連結椅子の複数の椅子が脚部材により支持される。
【０００９】
従って、この発明の連結椅子によれば、連結材を脚部材の先端部へ固定する際に、脚部材の先端部へのブラケットの一端部の抜け止め状態での掛止と他端部のボルト締着とで済むので、ブラケットが１つで済み、ブラケットの端部を締着するボルトの本数も１〜２本で済んで、部品点数を減らせるとともに作業工数も低減させることができる。
【００１０】
なお、この発明の連結椅子においては、前記脚部材は、樋状の部材からなるとともに前記樋状における底部が低い方の段側になるように先端部を階段状に形成されており、前記脚部材の階段状の先端部の低い方の段の角部には、前記ブラケットの前記一端部を抜け止め状態で掛止する掛止部が形成され、前記脚部材の階段状の先端部の高い方の段には、前記ブラケットの前記他端部を締着するためのボルト孔またはボルトが設けられていても良い。
【００１１】
このようにすれば、脚部材の階段状の先端部の低い方の段にブラケットの一端部を抜け止め状態で掛止した後、その低い方の段に連結椅子の連結材を乗せ、次いでブラケットを連結材に被せてから、ブラケットの他端部を、脚部材の階段状の先端部の高い方の段に設けられたボルト孔またはボルトを用いてその先端部に締着するという簡易な作業工程で、連結椅子の連結材を脚部材の先端部に固定することができる。
【００１２】
しかも、脚部材の階段状の先端部の、樋の底部に近いため剛性が高い、低い方の段の角部にブラケットの一端部を掛止するので、脚部材の先端部への連結材の固定強度を高めることができる。
【００１３】
また、この発明の連結椅子においては、前記脚部材は、樋状の部材からなるとともに前記樋状における底部が低い方の段側になるように先端部を階段状に形成されており、前記脚部材の階段状の先端部の低い方の段の角部には、前記ブラケットの前記他端部を締着するためのボルト孔またはボルトが設けられ、前記脚部材の階段状の先端部の高い方の段には、前記ブラケットの前記一端部を抜け止め状態で掛止する掛止部材が装着されていても良い。
【００１４】
このようにすれば、脚部材の階段状の先端部の高い方の段に装着された掛止部材にブラケットの一端部を抜け止め状態で掛止した後、その脚部材の先端部の低い方の段に連結椅子の連結材を乗せ、次いでブラケットを連結材に被せてから、ブラケットの他端部を、脚部材の階段状の先端部の低い方の段に設けられたボルト孔またはボルトを用いてその先端部に締着するという簡易な作業工程で、連結椅子の連結材を脚部材の先端部に固定することができる。
【００１５】
しかも、階段状の先端部の高い方の段の配置およびそこへの掛止部材の配置を適宜設定できるので、ブラケットの掛止部を脚部材の階段状の先端部の低い方の段に設ける場合よりも脚部材の先端部に対する連結材の固定位置の設定の自由度を高めることができる。
【図面の簡単な説明】
【００１６】
【図１】この発明の連結椅子の一実施例を具える移動観覧席をその複数段の床台が互いに階段状にずれた進出位置にある状態で示す側面図である。
【図２】上記実施例の連結椅子を具える移動観覧席をその複数段の床台が互いに上下方向に整列した後退位置にある状態で示す側面図である。
【図３】上記実施例の連結椅子を具える移動観覧席の全体を、椅子を省略して示す背面図である。
【図４】（ａ），（ｂ）は、上記実施例の連結椅子の連結材を脚部材の先端部に固定する構造を示す正面図および側面図である。
【図５】（ａ）〜（ｄ）は、上記実施例の連結椅子における脚部材を示す平面図、正面図、側面図および背面図である。
【図６】（ａ），（ｂ），（ｃ）は、上記実施例の連結椅子における挟みブラケットを示す平面図、正面図および側面図である。
【図７】（ａ）は、上記実施例の連結椅子における脚ブラケットを、そこに脚部材を組み付けた状態で示す正面図、（ｂ）は、上記脚ブラケットを、そこに脚部材および挟みブラケットを組みつけて連結材を挟持させた状態で示す側面図、（ｃ）は、上記脚ブラケットに組み付けた脚部材に連結材を挟持させる方法を示す側面図、（ｄ）は、上記脚ブラケットに組み付けた脚部材および挟みブラケットを、連結材を挟持させて倒した状態で示す側面図である。
【図８】（ａ），（ｂ）は、この発明の連結椅子の他の一実施例における連結材を脚部材の先端部に固定する構造を示す正面図および側面図である。
【図９】（ａ）〜（ｄ）は、上記実施例の連結椅子における脚部材を示す平面図、正面図、側面図および背面図である。
【図１０】（ａ），（ｂ），（ｃ）は、上記実施例の連結椅子における挟みブラケットを示す平面図、正面図および側面図である。
【図１１】（ａ）は、上記実施例の連結椅子における脚ブラケットを、そこに脚部材を組み付けた状態で示す正面図、（ｂ）は、上記脚ブラケットを、そこに脚部材および挟みブラケットを組みつけて連結材を挟持させた状態で示す側面図、（ｃ）は、上記脚ブラケットに組み付けた脚部材に連結材を挟持させる方法を示す側面図、（ｄ）は、上記脚ブラケットに組み付けた脚部材および挟みブラケットを、連結材を挟持させて倒した状態で示す側面図である。
【図１２】従来の連結椅子を具える移動観覧席の中間の二段の構成を示す斜視図である。
【発明を実施するための形態】
【００１７】
以下、この発明の実施の形態を図面に基づく実施例によって詳細に説明する。ここに、図１は、この発明の連結椅子の一実施例を具える移動観覧席をその複数段の床台が互いに階段状にずれた進出位置にある状態で示す側面図、図２は、上記実施例の連結椅子を具える移動観覧席をその複数段の床台が互いに上下方向に整列した後退位置にある状態で示す側面図、図３は、上記実施例の連結椅子を具える移動観覧席の全体を、椅子を省略して示す背面図である。
【００１８】
この実施例の連結椅子３を具える移動観覧席も、図１２に示す従来の連結椅子を具える移動観覧席と同様、複数段の床台１と、各床台１を水平状態で移動可能に支持する脚部２と、連結材で相互に連結された複数の座起立型椅子２１を有して各床台１上に起倒可能に装着された連結椅子３とを具えており、各床台１は、連結椅子３の左右方向に水平に延在する貫材４と、その貫材４の長手方向に間隔が空いた複数の部位に後端部をそれぞれ結合されてその貫材４から連結椅子３の前方向へ水平に突出する複数本の腕材５と、それら複数本の腕材５上に張り渡された床材６とを有し、脚部２は、貫材４の長手方向に間隔が空いた複数の部位に上端部をそれぞれ結合されてその貫材４から下方に延在する複数本の支柱７と、それらの支柱７の下端部に後端部付近をそれぞれ結合されて腕材５と平行に延在する複数本の脚材８と、それらの脚材８の前端部および後端部にそれぞれ設けられた複数個の移動用ローラー９とを有するとともに、３段目から５段目までの高い方の段では支柱７の後面側にその支柱７の補強のための傾斜ブレース１０を有している。
【００１９】
そしてこの実施例の連結椅子３を具える移動観覧席においても、図３に示すように、上記複数本の支柱７の長さが床台１毎に床台１間の段差分ずつ異なって、床台１が低くなるにつれて支柱７の長さが短くなるとともに、複数本の支柱７の上端部が結合される貫材４の部位の間隔が床台１毎に少しずつ異なって、床台１が低くなるにつれて支柱７の間隔が短くなることで、複数段の床台１が、図１に示す、互いに階段状にずれる進出位置と、図２に示す、互いに上下方向に整列する後退位置との間で水平状態のまま移動できる。
【００２０】
そして最上段の床台１の脚材８の両外側には、床面Ｆ上に固設された二本のガイドレール１１とそれぞれ当接する小さなガイドローラーが設けられていて、それらのガイドローラーとガイドレール１１との当接による案内により、各床台１は所定方向へ進退移動することができ、図２に示すように、後退位置に移動させる際は、各連結椅子３を前方に倒して床材６間に収納する。なお、ここでの貫材４は、通路用貫材と座席用貫材とを分けて上下に設けている。
【００２１】
しかしてこの実施例の連結椅子３では、図４に示すように、各連結椅子３を構成する複数の座起立型椅子２１が、角パイプ状の連結材２２で互いに連結されており、この連結椅子３を起倒可能に各床台１上に装着する際には、床台１上に断面略ハット状の脚ブラケット２３で支持されて床台１の左右方向へ延在する支持軸２４を、断面略コ字状すなわち略樋状の脚部材２５の基部に貫通させて、その支持軸２４で脚部材２５を床台１の前後方向へ揺動可能に支持し、その脚部材２５の先端上に上記角パイプ状の連結材２２を配置し、その連結材の上に断面略逆Ｌ字状の挟みブラケット２６を被せて、それら脚部材２５の先端と挟みブラケット２６との間に連結材２２を介装し、その挟みブラケット２６の一端部を脚部材２５の先端部に掛止するとともに、その挟みブラケット２６の他端部を脚部材２５の先端部にボルトで締着することで、上記角パイプ状の連結材２２をその脚部材２５の先端と挟みブラケット２６との間に挟持固定している。
【００２２】
図５（ａ）〜（ｄ）は、この実施例の連結椅子３における脚部材２５を示す平面図、正面図、側面図および背面図であり、ここにおける脚部材２５は、１枚の鋼板を折曲して形成した略樋状（断面コ字状）の部材からなるとともに先端部を２段の階段状に形成され、その樋状における底部の先端部が両側部から切り離されて、その底部の側に位置する１段目２５ａの先端面と、２段目２５ｂの壁面および先端面とになるように折曲されるとともに、両側部に溶接されており、この底部の先端部には、脚部材２５の正面から１段目２５ａの先端面に至るＴ字状の孔と、２段目２５ｂの先端面に位置する丸孔とが明けられ、これにより脚部材２５の先端部の１段目２５ａの角部には、上記樋状における底部の先端部のＴ字状の孔の両側部によって、挟みブラケット２６の一端部を掛止する掛止部２５ｃが形成され、またその２段目２５ｂには、上記丸孔によって、挟みブラケット２６の他端部を締着するためのボルト孔２５ｄが形成されている。
【００２３】
さらに、脚部材２５の基部の両側部には、支持軸２４を挿通される貫通孔２５ｅが形成され、また脚部材２５の基部と先端部との間の中間部の両側部には、駆動軸２７を挿通される貫通孔２５ｆが形成され、その貫通孔２５ｆの近くには、図５では省略しているが後述するストッパーボルトと当接する当接部２５ｇが設けられている。
【００２４】
図６（ａ），（ｂ），（ｃ）は、この実施例の連結椅子３における挟みブラケット２６を示す平面図、正面図および側面図であり、ここにおける挟みブラケット２６は、１枚の鋼板を折曲して形成した略逆Ｌ字状の部材からなるとともに、その一端部（図６（ｂ），（ｃ）では下端部）に逆Ｔ字状の掛合部２６ａを形成され、またその他端部（図６（ａ）では上端部）に丸孔状のボルト孔２６ｂを形成されており、掛合部２６ａは、図６（ｃ）に示すように、隣接する他の部分に対し内側にオフセットしている。
【００２５】
図７（ａ）は、この実施例の連結椅子３における脚ブラケット２３を、そこに脚部材２５を組み付けた状態で示す正面図、図７（ｂ）は、上記脚ブラケット２３を、そこに脚部材２５および挟みブラケット２６を組みつけて連結材２２を挟持させた状態で示す側面図、図７（ｃ）は、上記脚ブラケット２３に組み付けた脚部材２５に連結材２２を挟持させる方法を示す側面図、そして図７（ｄ）は、上記脚ブラケット２３に組み付けた脚部材２５および挟みブラケット２６を、連結材２２を挟持させて倒した状態で示す側面図である。
【００２６】
図７に示すように、ここにおける脚ブラケット２３は、１枚の鋼板を折曲して形成した断面略ハット状の部材からなるとともに一端部の両側部に支持軸２４を挿通されて支持する貫通孔２３ａを形成され、また上記一端部の両側部に駆動軸２７と当接しないための逃げ部を形成され、その逃げ部に隣接する一側部にストッパーボルト２３ｂを突出長さ調節可能に水平に設けられている。さらにこの脚ブラケット２３内には、駆動軸２７に一端部を連結された図示しないリンクと、そのリンクの他端部を進退駆動する図示しないクランクと、そのクランクを回動させる図示しない歯車組とが収容されて、その歯車組の図示しない入力軸が脚ブラケット２３の両側面から突出している。
【００２７】
脚部材２５は、この脚ブラケット２３の貫通孔２３ａに挿通された支持軸２４を介してその基部を脚ブラケット２３に、図７（ｂ）および（ｄ）に示すように起立位置と倒れ位置との間で揺動可能に支持され、図７（ｃ）に示すようにその起立位置に位置する脚部材２５の先端部の１段目２５ａのＴ字状の孔内に挟みブラケット２６の掛合部２６ａを挿入してその挟みブラケット２６の掛合部２６ａを１段目２５ａの角部の掛止部２５ｃに内側から掛合させ、これにより挟みブラケット２６を抜け止めしてから、連結材２２をその１段目２５ａの先端面と２段目２５ｂの壁面とに当接させて脚部材２５の先端部に搭載し、次いで図７（ｂ）に示すように挟みブラケット２６を図では時計方向へ約９０度回転させて、挟みブラケット２６のボルト孔２６ｂと脚部材２５の先端部の２段目２５ｃのボルト孔２５ｄとを整列させ、それらのボルト孔２６ｂ，２５ｄに挿通したボルト２８をナット２９で締着することで、脚部材２５の先端部に連結材２２を挟持固定する。
【００２８】
かかる脚ブラケット２３を、図４に示すように、床台１上に例えば図示しないボルトで固定することにより、連結椅子３を、図４（ｂ）中実線で示す起立した使用位置と、図４（ｂ）中仮想線で示す前に倒れた収納位置との間で揺動可能に支持することができ、その連結椅子３の使用位置と収納位置との間での揺動は、各脚ブラケット２３に突設されて互いに連結された上記歯車組の入力軸を図示しないモータで駆動することで、床台１の展開時および収納時に自動的に行うことができる。
【００２９】
この実施例の連結椅子３を具える移動観覧席にあっては、複数の座起立式椅子２１を相互に連結する連結材２２が、各床台１上に起倒可能に基部を支持された脚部材２５の先端部に挟みブラケット２６の一端部を掛止するとともにその脚部材２５の先端部に挟みブラケット２６の他端部をボルト２８で締着することで、その脚部材２５の先端部と挟みブラケット２６との間に挟持固定され、これによって、複数段の床台１が図１に示すように互いに階段状にずれる進出位置にある際には連結椅子３が起こされて着座可能とされ、また複数段の床台１がその進出位置から図２に示すように互いに上下方向に整列する後退位置へ移動する際には連結椅子３が倒されて床台１間に収容される。
【００３０】
従って、この実施例の連結椅子３によれば、連結椅子３の連結材２２を脚部材２５の先端部へ固定する際に、脚部材２５の先端部への挟みブラケット２６の一端部の掛止と他端部のボルト締着とで済むので、ブラケットが１つで済み、挟みブラケット２６の端部を締着するボルト２８の本数も１本で済んで、部品点数を減らせるとともに作業工数も低減させることができる。
【００３１】
さらに、この実施例の連結椅子３によれば、脚部材２５は、樋状の部材からなるとともにその樋状における底部が低い方の段である１段目２５ａ側になるように先端部を階段状に形成されており、脚部材２５の階段状の先端部の１段目２５ａの角部には、挟みブラケット２６の一端部にある掛合部２６ａを掛止する掛止部２５ｃが形成され、脚部材２５の階段状の先端部の２段目には、挟みブラケット２６の他端部を締着するためのボルト孔２５ｄが設けられているので、脚部材２５の階段状の先端部の１段目に挟みブラケット２６の一端部を掛止した後、その１段目に連結材２２を乗せ、次いで挟みブラケット２６を連結材２２に被せてから、挟みブラケット２６の他端部を、脚部材２５の階段状の先端部の２段目に設けられたボルト孔２５ｄを用いてボルト２８とナット２９でその先端部に締着するという簡易な作業工程で、連結材２２を脚部材２５の先端部に固定することができる。
【００３２】
しかも、脚部材２５の階段状の先端部の、樋の底部に近いため剛性が高い１段目の角部に挟みブラケット２６の掛合部２６ａを掛止するので、脚部材２５の先端部への連結材２２の固定強度を高めることができる。
【００３３】
図８（ａ），（ｂ）は、この発明の連結椅子の他の一実施例における連結材を脚部材の先端部に固定する構造を示す正面図および側面図であり、この実施例の連結椅子３は、角パイプ状の連結材２２を脚部材２５と挟みブラケット２６とで挟持する構造のみが先の実施例と異なっており、他の点では先の実施例と同様に構成されている。
【００３４】
すなわちこの実施例の連結椅子３でも先の実施例と同様、図８に示すように、各連結椅子３を構成する複数の座起立型椅子２１が、角パイプ状の連結材２２で互いに連結されており、この連結椅子３を起倒可能に各床台１上に装着する際には、床台１上に断面略ハット状の脚ブラケット２３で支持されて床台１の左右方向へ延在する支持軸２４を、断面略コ字状すなわち略樋状の脚部材２５の基部に貫通させて、その支持軸２４で脚部材２５を床台１の前後方向へ揺動可能に支持し、その脚部材２５の先端上に上記角パイプ状の連結材２２を配置し、その連結材の上に断面略逆Ｌ字状の挟みブラケット２６を被せて、それら脚部材２５の先端と挟みブラケット２６との間に連結材２２を介装し、その挟みブラケット２６の一端部を脚部材２５の先端部に掛止するとともに、その挟みブラケット２６の他端部を脚部材２５の先端部にボルトで締着することで、上記角パイプ状の連結材２２をその脚部材２５の先端と挟みブラケット２６との間に挟持固定している。
【００３５】
図９（ａ）〜（ｄ）は、この実施例の連結椅子３における脚部材２５を示す平面図、正面図、側面図および背面図であり、ここにおける脚部材２５は、１枚の鋼板を折曲して形成した略樋状（断面コ字状）の部材からなるとともに先端部を２段の階段状に形成され、その樋状における底部の先端部が両側部から切り離されて、その底部の側に位置する１段目２５ａの傾斜した角部となるように折曲されるとともに、両側部に溶接されており、この底部の先端部には丸孔が明けられ、これにより脚部材２５の先端部の１段目２５ａの角部には、挟みブラケット２６の一端部を締着するためのボルト孔２５ｄが形成され、そのボルト孔２５ｄの裏側にはナット２９が溶接されている。また脚部材２５の先端部の２段目２５ｂの両側部の間には、挟みブラケット２６の他端部を掛止する掛止部材としての掛止ピン３０が設けられている。
【００３６】
さらに、脚部材２５の基部の両側部には、支持軸２４を挿通される貫通孔２５ｅが形成され、また脚部材２５の基部と先端部との間の中間部の両側部には、駆動軸２７を挿通される貫通孔２５ｆが形成され、その貫通孔２５ｆの近くには、図９では省略しているが後述するストッパーボルトと当接する当接部２５ｇが設けられている。
【００３７】
図１０（ａ），（ｂ），（ｃ）は、この実施例の連結椅子３における挟みブラケット２６を示す平面図、正面図および側面図であり、ここにおける挟みブラケット２６は、１枚の鋼板を折曲して形成した略逆Ｌ字状の部材からなるとともに、その一端部（図１０（ａ）では上端部）に断面略Ｕ字状の掛合部２６ａを形成され、またその他端部（図１０（ｂ），（ｃ）では下端部）に丸孔状のボルト孔２６ｂを形成されており、その他端部は、図１０（ｃ）に示すように、隣接する他の部分に対し外側に傾斜している。
【００３８】
図１１（ａ）は、この実施例の連結椅子３における脚ブラケット２３を、そこに脚部材２５を組み付けた状態で示す正面図、図１１（ｂ）は、上記脚ブラケット２３を、そこに脚部材２５および挟みブラケット２６を組みつけて連結材２２を挟持させた状態で示す側面図、図１１（ｃ）は、上記脚ブラケット２３に組み付けた脚部材２５に連結材２２を挟持させる方法を示す側面図、そして図１１（ｄ）は、上記脚ブラケット２３に組み付けた脚部材２５および挟みブラケット２６を、連結材２２を挟持させて倒した状態で示す側面図である。
【００３９】
図１１に示すように、ここにおける脚ブラケット２３も、１枚の鋼板を折曲して形成した断面略ハット状の部材からなるとともに一端部の両側部に支持軸２４を挿通されて支持する貫通孔２３ａを形成され、また上記一端部の両側部に駆動軸２７と当接しないための逃げ部を形成され、その逃げ部に隣接する一側部にストッパーボルト２３ｂを突出長さ調節可能に水平に設けられている。さらにこの脚ブラケット２３内には、駆動軸２７に一端部を連結された図示しないリンクと、そのリンクの他端部を進退駆動する図示しないクランクと、そのクランクを回動させる図示しない歯車組とが収容されて、その歯車組の図示しない入力軸が脚ブラケット２３の両側面から突出している。
【００４０】
脚部材２５は、この脚ブラケット２３の貫通孔２３ａに挿通された支持軸２４を介してその基部を脚ブラケット２３に、図１１（ｂ）および（ｄ）に示すように起立位置と倒れ位置との間で揺動可能に支持され、図１１（ｃ）に示すようにその起立位置に位置する脚部材２５の先端部の２段目２５ｂの掛合ピン３０に挟みブラケット２６の掛合部２６ａを引掛けてその挟みブラケット２６の掛合部２６ａを２段目２５ｂの先端部に抜け止め状態で掛合させてから、連結材２２を１段目２５ａの先端面と２段目２５ｂの壁面とに当接させて脚部材２５の先端部に搭載し、次いで図１１（ｂ）に示すように挟みブラケット２６を図では反時計方向へ約９０度回転させて、挟みブラケット２６のボルト孔２６ｂと脚部材２５の先端部の１段目２５ａのボルト孔２５ｄとを整列させ、それらのボルト孔２６ｂ，２５ｄに挿通したボルト２８をナット２９で締着することで、脚部材２５の先端部に連結材２２を挟持固定する。
【００４１】
かかる脚ブラケット２３を、図８に示すように、床台１上に例えば図示しないボルトで固定することにより、連結椅子３を、図８（ｂ）中実線で示す起立した使用位置と、図８（ｂ）中仮想線で示す前に倒れた収納位置との間で揺動可能に支持することができ、その連結椅子３の使用位置と収納位置との間での揺動は、各脚ブラケット２３に突設されて互いに連結された上記歯車組の入力軸を図示しないモータで駆動することで、床台１の展開時および収納時に自動的に行うことができる。
【００４２】
そしてこの実施例の連結椅子３によっても、先の実施例と同様、連結材２２を脚部材２５の先端部へ固定する際に、脚部材２５の先端部への挟みブラケット２６の一端部の掛止と他端部のボルト締着とで済むので、ブラケットが１つで済み、挟みブラケット２６の端部を締着するボルト２８の本数も１本で済んで、部品点数を減らせるとともに作業工数も低減させることができる。
【００４３】
さらに、この実施例の連結椅子３によれば、脚部材２５は、樋状の部材からなるとともにその樋状における底部が低い方の段である１段目２５ａ側になるように先端部を階段状に形成されており、脚部材２５の階段状の先端部の１段目２５ａの角部には、挟みブラケット２６の他端部を締着するためのボルト孔２５ｄが設けられ、脚部材２５の階段状の先端部の２段目には、挟みブラケット２６の一端部を掛止する掛止ピン３０が装着されているので、脚部材２５の階段状の先端部の２段目に装着された掛止ピン３０に挟みブラケット２６の一端部を掛止した後、その脚部材２５の先端部の１段目に連結椅子３の連結材２２を乗せ、次いで挟みブラケット２６を連結材２２に被せてから、挟みブラケット２６の他端部を、脚部材２５の階段状の先端部の１段目に設けられたボルト孔２５ｄを用いてその先端部に締着するという簡易な作業工程で、連結椅子３の連結材２２を脚部材２５の先端部に固定することができる。
【００４４】
しかも、脚部材２５の階段状の先端部の２段目の配置およびそこへの掛止ピン３０の配置を適宜設定できるので、挟みブラケット２６の掛止部２６ａを脚部材２５の階段状の先端部の１段目２５ａに設ける場合よりも脚部材２５の先端部に対する連結材２２の固定位置の設定の自由度を高めることができ、図示例では、挟みブラケット２６の掛止部２６ａを脚部材２５の階段状の先端部の１段目２５ａに設ける場合よりも脚部材２５の先端部に対する連結材２２の固定位置を後方に設定している。
【００４５】
以上、図示例に基づき説明したが、この発明は上述の例に限定されるものでなく、特許請求の範囲の記載範囲内で適宜変更し得るものであり、例えば、上記実施例の椅子を設けた移動観覧席では貫材４を座席用貫材と通路用貫材とを分けて設けたが、貫材４は座席用と通路用とで共通のものとしても良い。また、上記例の連結椅子３は何れも、移動観覧席の展開収納時にモータで自動的に起倒させるように構成したが、連結椅子３を手作業で起倒させるようにしても良く、その場合に、起立位置で脚部材２５を解放可能に掛止するロック機構を設けても良い。
【００４６】
さらに、脚部材２５の先端部にボルト孔２５ｄを設ける代りにボルトを突設し、挟みブラケット２６のボルト孔２６ｂを長孔あるいは切り欠きとしても良く、あるいは、脚部材２５の先端部のボルト孔２５ｄ自体に雌ねじを形成しても良い。また、上記例では何れも挟みブラケット２６の端部を脚部材２５の先端部に締着するボルト２８の本数を１本としたが、所要に応じてこれを２本としても良い。
【００４７】
そして、上記例の連結椅子３は、移動観覧席の各床台１上に起倒可能に設置したが、この発明の連結椅子は、脚部材を自立させる足部材を設けて移動観覧席の床台上に載置するようにしても良く、あるいはそれを移動観覧席以外の場所で用いても良く、それらの場合に連結材で相互に連結される複数の椅子は、座起立式のものでなくても良い。
【産業上の利用可能性】
【００４８】
かくしてこの発明の連結椅子によれば、連結材を脚部材の先端部へ固定する際に、脚部材の先端部へのブラケットの一端部の掛止と他端部のボルト締着とで済むので、ブラケットが１つで済み、ブラケットの端部を締着するボルトの本数も１〜２本で済んで、部品点数を減らせるとともに作業工数も低減させることができる。
【符号の説明】
【００４９】
１  床台
２  脚部
３  連結椅子
４  貫材
４Ａ  座席用貫材
４Ｂ  通路用貫材
５  腕材
５Ａ  座席用腕材
５Ｂ  通路用腕材
６  床材
６Ａ  座席用床材
６Ｂ  通路用床材
６C  見切り材
７  支柱
８  脚材
９  移動用ローラー
１０  傾斜ブレース
１１  ガイドレール
１２  ブラケット
１３  腕材取付け金具
１４  ストッパーボルト
１５  腕材支持ローラー
１６  補助ステップ
２１  座起立型椅子
２２  連結材
２３  脚ブラケット
２３ａ  貫通孔
２３ｂ  ストッパーボルト
２４  支持軸
２５  脚部材
２５ａ  １段目
２５ｂ  ２段目
２５ｃ  掛止部
２５ｄ  ボルト孔
２５ｅ  貫通孔
２５ｆ  貫通孔
２５ｇ  当接部
２６  挟みブラケット
２６ａ  掛合部
２６ｂ  ボルト孔
２７  駆動軸
２８  ボルト
２９  ナット
３０  掛止ピン
F  床面
【図１】
0005358797.tif 000002
【図２】
0005358797.tif 000003
【図３】
0005358797.tif 000004
【図４】
0005358797.tif 000005
【図５】
0005358797.tif 000006
【図６】
0005358797.tif 000007
【図７】
0005358797.tif 000008
【図８】
0005358797.tif 000009
【図９】
0005358797.tif 000010
【図１０】
0005358797.tif 000011
【図１１】
0005358797.tif 000012
【図１２】
0005358797.tif 000013